(57)【特許請求の範囲】
【請求項１】
入口口金とガスを送り込む供給用ガス管および出口口金とガス機器に送る配給用ガス管とをユニオンナットで接続するガスメーターにおいて、
前記入口口金及び前記出口口金に対向した位置に、前記供給用ガス管及び前記配給用ガス管の外径より大きく前記ユニオンナットの外径より小さい貫通穴を有して上下自在に移動可能な構成とし、前記ユニオンナット及び前記ガスメータの外郭を覆うように一体化構成としたカバーを設け、該カバーは前記ガスメーターの外郭に固定する固定手段を備えたガスメーター。
【請求項２】
固定手段は、特殊工具でのみ着脱が可能な周り止め部材を備えた請求項１記載のガスメーター。
【請求項３】
周り止め部材の頭部は、星型の凹部を有するネジとし、カバーには前記ネジの頭部のみが入る凹部を設けた請求項２記載のガスメーター。
【請求項４】
周り止め部材の頭部外形を楕円形とし前記カバーにはネジの頭部外周に適合するボックスレンチのみが入る凹部を設けた請求項２記載のガスメーター。
【発明の詳細な説明】
【０００１】
【発明の属する技術分野】
本発明は、ガスの使用量を積算表示するガスメーターに関するものである。
【０００２】
【従来の技術】
従来この種のガスメーター８は、図５に示すような構成になっている。すなわち、設置工事時には、ガスメーター８の入口口金１とガスを送り込む供給用ガス管５及び出口口金２とガス機器に送る配給用ガス管６をユニオンナット７で接続する。ここで配給用ガス管６の経路にガス漏れがあった場合、フルイディック式、超音波式では瞬時的に検知が可能であり、漏洩検知機能によりガスを遮断することができる。また膜式ガスメーターでは３Ｌ／ｈ程度の微小流量の検知に３０分以上かかるものの漏洩検知機能が働き同様にガスを遮断することができる。
【０００３】
【発明が解決しようとする課題】
しかしながら、従来の入口口金とガスを送り込む供給用ガス管及び出口口金とガス機器に送る配給用ガス管をユニオンナットで接続するガスメーターでは、いたずらによってユニオンナットが緩められたり、また外部から強い衝撃を受けて配管接続部がずれたり変形したりしてガス漏れするという課題を有していた。このためガスメーター、供給用ガス管、配管用ガス管を金属製のボックスで囲ったり、あるいはパイプシャフトの中に入れたりする等の対策が採られている。しかしこの場合には工事性が悪くなたったり、工事費がかさんだり、又メーターの視認性が悪くなるという課題を有していた。
【０００４】
また、感震器を内臓するガスメーターは、強い衝撃を受けると感震器が検知し遮断弁を閉止するため配給用ガス管にはガスが流れないが、入口口金と供給用ガス管の接続部が外れた場合はガスメーターでは遮断することは出来ず、また、圧力センサを内蔵するものにあっては、例えば入口口金と供給用ガス管の接続部が外れ供給圧が１００Ｐａ以下になった時に異常を検出するものがあるが、異常を検出しても報知または表示することはできるが遮断することは出来ないという課題を有していた。
【０００５】
【課題を解決するための手段】
本発明は上記課題を解決するために、供給用ガス管及び配給用ガス管の外径より大きくユニオンナットの外径より小さい貫通穴を有して上下自在に移動可能な構成とし、ユニオンナット及びガスメータを覆うように一体化構成としたカバーを設け、該カバーはガスメーター外郭に固定する固定手段を備えたものである。上記発明によれば、いたずらによってユニオンナットが緩められることを防止できる。また外部から強い衝撃を受けても配管接続部周辺を保護でき接続部がずれたり変形したりしてガス漏れするのを防止できる。専用工具以外では周り止め部材の取り外しが困難であり周り止め部材が外せないとカバーを外すことができないため、工事業者以外の者がいたずらによってユニオンナットを緩めることはできない。従って、ガス漏れに対する安全性を確保することができる。
【０００６】
【発明の実施の形態】
本発明の請求項１記載の発明は、入口口金とガスを送り込む供給用ガス管および出口口金とガス機器に送る配給用ガス管とをユニオンナットで接続するガスメーターにおいて、
入口口金及び出口口金に対向した位置に、供給用ガス管及び配給用ガス管の外径より大きくユニオンナットの外径より小さい貫通穴を有して上下自在に移動可能な構成とし、ユニオンナット及びガスメーターの外郭を覆うように一体化構成としたカバーを設け、該カバーはガスメーターの外郭に固定する固定手段を備えているため、いたずらによってユニオンナットが緩められることを防止できる。また外部から強い衝撃を受けてカバーに大きな外力が加わっても、貫通穴周辺はバーリング加工を施しているため広い面積で分散できるため配管表面には応力が集中することがなく配管の変形を防止でき、配管接続部周辺を保護でき接続部がずれたり変形したりしてガス漏れするのを防止できる。カバーを外さないとユニオンナットが露出しないため、容易にユニオンナットを緩めることはできない。従って、ガス漏れに対する安全性を確保することができる。
【０００７】
請求項２記載の発明は、固定手段を周り止め構造とし周り止め部材は特殊な頭部を有するネジで専用工具以外では取り外しができない。周り止め部材が外せないとカバーを外すことは出来ないため、工事業者以外の者がいたずら等でユニオンナットを緩めることはできない。
【０００８】
請求項３記載の発明は、固定手段の周り止め部材は六角の星型穴の頭部を有するネジで、前記カバーには該ネジの頭部が入る凹部を設けているためプライヤー、ペンチ等では前記ネジ頭部がつかめない。専用工具以外では該ネジの取り外しが困難でありカバーを外すことは出来ないため、工事業者以外の者がいたずら等でユニオンナットを緩めることはできない。
【０００９】
請求項４記載の発明は、固定手段の周り止め部材は楕円形の頭部を有するネジで、前記カバーにはネジの頭部及び専用のボックスドライバーが入る凹部を設けているためプライヤー、ペンチ等では前記楕円形ネジ頭部がつかめない。専用工具以外では取り外しが困難でありカバーを外すことは出来ないため工事業者以外の者がいたずら等でユニオンナットを緩めることはできない。
【００１０】
【実施例】
以下、本発明の実施例について図面を用いて説明する。なお、従来例と同一部品には同一番号を付し説明する。
【００１１】
（実施例１）
図１は本発明の実施例１のガスメーターの構造図である。図において、カバー１０に設けた穴に供給用ガス管５、配給用ガス管６を貫通し、上方に寄せて保持する。この状態でユニオンナット７を締め付け、ガス管を接続する。次に該カバー１０をガスメーター８の所定位置まで降ろし外郭にネジ９等の固定手段で固定する。カバー１０があることにより、簡単にユニオンナット７が緩められることを防止できるためガス漏れに対する安全を確保することができる。また外部から強い衝撃を受けてもカバー１０の固定部材９での固定と貫通穴のバーリング部が供給用ガス管５、配給用ガス管６に当接することにより配管接続部周辺を保護でき接続部がずれたり変形したりしてガス漏れするのを防止できる。また、メンテナンスの必要が生じた時は固定部材９を外しカバー１０を外せば、ユニオンナット７が緩められるためガスメーター８の着脱交換が容易にできる。
【００１２】
（実施例２）
本発明の実施例２のガスメーターを同図２にて説明する。ここで固定手段の周り止め部材９は特殊な頭部を有するネジとしている。専用工具以外では取り外しが困難であり周り止め部材９が外せないとカバー１０を外すことは出来ないため、工事業者以外の者がいたずら等でユニオンナット７を緩めることはできない。従ってガス漏れに対する安全を確保することが可能となる。
【００１３】
（実施例３）
本発明の実施例３のガスメーターを同図２にて説明する。ここで固定手段の周り止め部材９は六角の星型穴の頭部を有するトルクスと呼ばれるネジで前記カバーにはネジの頭部が入る凹部を設けているためプライヤー、ペンチ等では前記楕円形ネジ頭部がつかめない。専用工具以外では取り外しが困難であり周り止め部材９が外せないとカバー１０を外すことは出来ないため、工事業者以外の者がいたずら等でユニオンナット７を緩めることはできない。従ってガス漏れに対する安全を確保することができる。
【００１４】
（実施例４）
本発明の実施例４のガスメーターを同図３、同図４にて説明する。ここで固定手段の周り止め部材１１は楕円形の頭部を有するトルクスと呼ばれるネジで前記カバーにはネジの頭部及び専用のボックスドライバーが入る凹部を設けているためプライヤー、ペンチ等では前記楕円形ネジ頭部がつかめない。専用工具１２以外では取り外しが困難であり周り止め部材１１が外せないとカバー１０を外すことは出来ないため、工事業者以外の者がいたずら等でユニオンナット７を緩めることはできない。従ってガス漏れに対する安全を確保することができる。
【００１５】
【発明の効果】
以上のように本発明によれば、入口口金と供給用ガス管及び出口口金と配給用ガス管を接続するユニオンナットがいたずら等で緩められたり、また外部から強い衝撃を受けて配管接続部がずれたり変形したりしてガス漏れすることが防止できる。またガスメーター、供給用ガス管、配給用ガス管を金属製のボックスで囲ったり、あるいはパイプシャフトの中に入れる等の必要がなく、工事性の悪化、工事費の増加、メーターの視認性が低下という問題がなくなる。
【００１６】
また、専用工具以外では周り止め部材の取り外しが困難であり、周り止め部材が外せないとカバーを外すことは出来ないため、工事業者以外の者がいたずらによってユニオンナットを緩めることはできないという効果が得られる。
【図面の簡単な説明】
【図１】本発明の実施例１のガスメーターの正面及び部分断面図
【図２】本発明の実施例２、３のガスメーターのカバー取り付けの途中の接続状態を示す正面及び部分断面図
【図３】本発明の実施例４のガスメーターにおける固定部材の楕円頭ネジ及びボックスドライバーの装着状態を示す正面及び部分断面図
【図４】同ガスメーターのカバー取り付け状態における周り止め部材と専用工具との関係を示した図
【図５】従来のガスメーターの配管接続状態を示す正面図
【符号の説明】
１  入口口金
２  出口口金
３  リセットボタン
４  表示部
５  供給用ガス管
６  配給用ガス管
７  ユニオンナット
８  ガスメーター
９、１１  周り止め部材（固定手段）
１０  カバー
１２  ボックスドライバー
【図１】
0003882582.tif 000002
【図２】
0003882582.tif 000003
【図３】
0003882582.tif 000004
【図４】
0003882582.tif 000005
【図５】
0003882582.tif 000006